【手続補正書】
【提出日】平成18年2月10日(2006.2.10)
【手続補正１】
【補正対象書類名】特許請求の範囲
【補正対象項目名】全文
【補正方法】変更
【補正の内容】
【特許請求の範囲】
【請求項１】
ビデオ・プレゼンテーションのビデオ・トリック・モード再生時にオーディオ・トラックを再生する方法であって、
前記ビデオ・プレゼンテーションに対応するオーディオ・プログラミングを表すデジタル・データを記憶媒体（１０２）から読み出すステップ（３２０）と、
前記読み出したデジタル・データの一部から、前記ビデオ・プレゼンテーションの選択部分に対応する複数のデジタル・オーディオ・サンプルを復号するステップ（３２５）と、
前記デジタル・オーディオ・サンプルを、時間領域から、対応する周波数領域のオーディオ・サンプルに変換するステップ（３３０）と、
前記トリック・モード再生に従って、前記周波数領域オーディオ・サンプルの再生オーディオ周波数をスケーリングするステップ（３３５）と、
を含む前記再生方法。
【請求項２】
前記ビデオ・プレゼンテーションの選択トリック・モード・ビデオ再生スピードに略対応する割合で、前記時間領域オーディオ・サンプルのうちの選択されたものを削除するステップ（３２５）と、
前記オーディオ・サンプルのうちの残りのオーディオ・サンプル組のみに対応するオーディオ再生信号を生成するステップ（３４５）と、
を含む、請求項１記載の方法。
【請求項３】
前記時間領域オーディオ・サンプルが、各ｎ個のサンプルのうち（ｎ−１）個毎の平均割合で、削除される（３２５）（ここで、ｎは、通常再生スピードと相対的な選択トリック・モード再生スピードに等しい）、請求項２記載の方法。
【請求項４】
前記スケーリングするステップ（３３５）が、前記再生オーディオ周波数を約１／ｎ倍にスケーリングすることを含む、請求項３記載の方法。
【請求項５】
前記スケーリングするステップ（３３５）が、更に、前記周波数領域オーディオ・サンプルの振幅を約１／ｎ倍にスケーリングすることを含む、請求項４記載の方法。
【請求項６】
前記スケーリングするステップ（３３５）が、更に、前記スケーリング済み周波数領域オーディオ・サンプルを、対応する時間領域デジタル・オーディオ・サンプルに変換することを含む、請求項１記載の方法。
【請求項７】
前記ビデオ・プレゼンテーションの選択トリック・モード・ビデオ再生スピードに反比例する割合で、前記時間領域オーディオ・サンプルのうちの選択されたものを繰り返して、トリック・モードのオーディオ・サンプル組を生成するステップ（３４０）と、
前記トリック・モードのオーディオ・サンプル組に対応するオーディオ再生信号を生成するステップ（３４５）と、
を含む、請求項１記載の方法。
【請求項８】
前記時間領域オーディオ・サンプルが、約１／ｎ倍の平均割合で繰り返される（３４０）（ここで、ｎは、通常再生スピードと相対的な選択トリック・モード再生スピードに等しい）、請求項７記載の方法。
【請求項９】
前記スケーリングするステップ（３３５）が、約１／ｎの倍率で前記再生オーディオ周波数をスケーリングすることを含む、請求項８記載の方法。
【請求項１０】
前記スケーリングするステップ（３３５）が、更に、前記周波数領域オーディオ・サンプルの振幅を約ｎ倍にスケーリングすることを含む、請求項９記載の方法。
【請求項１１】
前記記憶媒体（１０２）が、ＤＶＤ、光磁気ディスク、磁気ハードディスク、ビデオＣＤ、および、ソリッドステート・メモリ素子から成る一群から選択される、請求項１記載の方法。
【請求項１２】
前記デジタル・データがＭＰＥＧフォーマットを有し、前記読み出すステップ（３００）が、更に、ＭＰＥＧビット・ストリームを復号して前記オーディオ・サンプルを得ることを含む、請求項１記載の方法。
【請求項１３】
ビデオ・プレゼンテーションのビデオ・トリック・モード再生時にオーディオ・トラックを再生する装置（１００）であって、
前記ビデオ・プレゼンテーションに対応するオーディオ・プログラミングを含むデジタル・データを記憶媒体（１０２）から読み出す記憶媒体読み取り装置と、
前記オーディオ・プログラミングを表す前記読み出されたデジタル・データの一部から、前記ビデオ・プレゼンテーションの選択部分に対応する複数のデジタル・オーディオ・サンプルを復号するデコーダ（１８２）と、
前記デジタル・オーディオ・サンプルを、時間領域から、対応する周波数領域のオーディオ・サンプルに変換するファスト・フーリエ変換（ＦＦＴ）処理素子を含むデジタル信号プロセッサ（ＤＳＰ）（１８６）と、
を含み、
前記デジタル信号プロセッサ（１８６）が、更に、前記トリック・モード再生に従って、前記周波数領域オーディオ・サンプルの再生オーディオ周波数をスケーリングするスケーリング素子を含む、
前記再生装置。
【請求項１４】
前記デコーダ（１８２）と前記ＤＳＰ（１８６）の少なくとも一方が、前記ビデオ・プレゼンテーションの選択トリック・モード・ビデオ再生スピードに略対応する割合で、前記時間領域オーディオ・サンプルのうちの選択されたものを削除する手段を含む、請求項１３記載の装置。
【請求項１５】
前記時間領域オーディオ・サンプルが、各ｎ個のサンプルのうち（ｎ−１）個の平均割合で、削除される（ここで、ｎは、通常再生スピードと相対的な選択トリック・モード再生スピードに等しい）、請求項１４記載の装置。
【請求項１６】
前記スケーリング素子（１８６ｂ）が、前記再生オーディオ周波数を約１／ｎ倍にスケーリングする、請求項１５記載の装置。
【請求項１７】
前記スケーリング素子が、更に、前記周波数領域オーディオ・サンプルの振幅を約１／ｎ倍にスケーリングする振幅調節素子（１８６ｃ）を含む、請求項１６記載の装置。
【請求項１８】
前記ＤＳＰ（１８６）が、更に、前記スケーリング済み周波数領域オーディオ・サンプルを、対応する時間領域デジタル・オーディオ・サンプルに変換して前記オーディオ再生信号を得る逆ＦＦＴ（ＩＦＦＴ）処理素子（１８６ｄ）を含む、請求項１３記載の装置。
【請求項１９】
前記デコーダ（１８２）と前記ＤＳＰ（１８６）の少なくとも一方が、前記ビデオ・プレゼンテーションの選択トリック・モード・ビデオ再生スピードに反比例する割合で、前記時間領域オーディオ・サンプルのうちの選択されたものを繰り返して、トリック・モードのオーディオ・サンプル組を生成する、請求項１３記載の装置。
【請求項２０】
前記オーディオ・サンプルが、約１／ｎ倍の平均割合で繰り返される（ここで、ｎは、通常再生スピードと相対的な選択トリック・モード再生スピードに等しい）、請求項１９記載の装置。
【請求項２１】
前記スケーリング素子（１８６ｂ）が、約１／ｎの倍率で前記再生オーディオ周波数をスケーリングする、請求項２０記載の装置。
【請求項２２】
前記ＤＳＰ（１８６）が、更に、前記周波数領域オーディオ・サンプルの振幅を約ｎ倍にスケーリングする振幅スケーリング素子（１８６ｃ）を含む、請求項２１記載の装置。
【請求項２３】
前記記憶媒体（１０２）が、ＤＶＤ、光磁気ディスク、磁気ハードディスク、ビデオＣＤ、および、ソリッドステート・メモリ素子から成る一群から選択される、請求項１３記載の装置。
【請求項２４】
前記デジタル・データがＭＰＥＧフォーマットを有し、前記記憶媒体読み取り装置が、更に、ＭＰＥＧビット・ストリームを復号して前記オーディオ・サンプルを得ることを含む、請求項１３記載の装置。
【手続補正２】
【補正対象書類名】明細書
【補正対象項目名】発明の名称
【補正方法】変更
【補正の内容】
【発明の名称】ビデオ・トリック・モード再生時のオーディオ・トラック再生方法および装置
【手続補正３】
【補正対象書類名】明細書
【補正対象項目名】０００１
【補正方法】変更
【補正の内容】
【０００１】
本発明は、改良型トリック・モード再生に関し、詳しくは、通常スピードより速く或いは遅く再生されるビデオ・セグメントに対応するオーディオ・サウンド・トラックのトリック・モード再生に於ける改良に関する。
【手続補正４】
【補正対象書類名】明細書
【補正対象項目名】０００３
【補正方法】変更
【補正の内容】
【０００３】
ビデオ・トリック・モードを使用する際の問題の１つは、再生ビデオ・セグメントに対応するオーディオ・コンテンツの処理に関係している。例えば、ユーザが表示されたビデオ・セグメントをスピードアップ、或いは、スローダウンするとき、対応する再生オーディオ・セグメントが歪んでしまうことがある。一般的に、オーディオ・セグメント内のオーディオ・サンプルは、ファスト（速い）トリック・モード再生時に、高い周波数にシフトされ、スロー（遅い）トリック・モード再生時に、低い周波数にシフトされる。通常の再生に比べて約１．５倍から約３倍の倍率で再生スピードを上げるファスト・トリック・モードによって、人の話し声は、ピッチが高くなって聞こえる傾向がある。このピッチの高いオーディオ再生、即ち、チップマンク（ｃｈｉｐｍｕｎｋ）効果は、聞き苦しく、多くの場合、聞き手にとって不明瞭で理解できないことがある。逆に、周波数の低いスロー・トリック・モードによって、低周波数のウォブル（震え）が生じ、これは、理解できても聴覚的に不快なことがある。
【手続補正５】
【補正対象書類名】明細書
【補正対象項目名】０００９
【補正方法】変更
【補正の内容】
【０００９】
本発明に従えば、任意の適切なデジタル・データ記憶媒体に記録された任意の種類のデジタル・ビデオに於けるビデオ・トリック・モード再生時に、実質的に通常のオーディオ再生が可能となる。便宜上、本発明の説明は、従来のＭＰＥＧ−１或いはＭＰＥＧ−２フォーマットを使用したＤＶＤ媒体について、行う。尚、本発明がこの点に限定されないことは、当業者であれば理解できる。デジタル・データ記憶媒体として、相当量のデジタル・データを記憶し、その後、読出して再生できる記憶媒体がある。この記憶媒体には、データ記憶用の光学的、磁気的、および、電子的な手段が含まれるが、これらに限定するものではない。具体的なデジタル記憶媒体の例としては、光学デジタル多用途ディスク（ＤＶＤ）、光磁気ディスク、磁気ハードディスク、ビデオＣＤ、通常のＣＤ、或いは、ソリッドステート（固体）メモリ、例えば、ダイナミック・ランダム・アクセス・メモリ（ＤＲＡＭ）、同期ＤＲＡＭ（ＳＤＲＡＭ）等がある。
【手続補正６】
【補正対象書類名】明細書
【補正対象項目名】００１３
【補正方法】変更
【補正の内容】
【００１３】
視聴者が起動できる各機能用の制御バッファ１３２が、それらの現在利用可能な機能（即ち、プレー（通常再生）、リバース、早送り、スロー・プレー、ポーズ／プレー、停止）を示すように構成されている。このポーズ機能は、一般的に、殆どのビデオカセット・レコーダ（ＶＣＲ）にあるポーズ動作によく似ている。このポーズ機能は、例えばコマーシャルのような不所望のセグメントの再生を停止、或いは、削除するために、記録されたプレゼンテーションの再生を手動で中断できる。更に、高機能バッファ１３６が、ここに開示するトリック・モードの制御を含む高再生機能を実施するために、設けられている。トリック・モード再生には、標準の１×再生スピード以外のスピードを有する順方向再生と逆方向再生とが含まれている。
【手続補正７】
【補正対象書類名】明細書
【補正対象項目名】００１６
【補正方法】変更
【補正の内容】
【００１６】
ＤＳＰ１８６は、周波数および振幅のスケーリングを行うように構成されていれば、通常のオーディオ処理機能を持つように設計された任意の市販のプロセッサでよい。入力されたオーディオ信号の周波数および振幅のスケーリングを容易にするために、ＤＳＰ１８６は、時間領域（ｔｉｍｅ  ｄｏｍａｉｎ）内にある入力オーディオ信号を、周波数領域（ｆｒｅｑｕｅｎｃｙ  ｄｏｍａｉｎ）のオーディオ信号に変換する。この周波数領域オーディオ信号は、スケーリングされ、その後、元の時間領域オーディオ信号に変換できる。一般的に、デジタル信号プロセッサは、様々なオーディオ処理のアルゴリズムと技術を利用して、周波数および振幅のスケーリングを行う。尚、本発明は、この構成に限定されるものではない。
【手続補正８】
【補正対象書類名】明細書
【補正対象項目名】００１９
【補正方法】変更
【補正の内容】
【００１９】
図３は、装置１００のような記憶媒体読み取り装置の例に於いて実施される図２の本発明の構成を理解するのに役立つフローチャートである。図３のプロセスを、順方向早送り再生に関して、説明する（これは、逆方向トリック・モードのオーディオ再生は、一般的に望ましくない為である）。尚、本発明は、この点に限定されるものではない。ここに開示する本発明の構成は、図３に示す技術と同様の技術を使用して、逆方向トリック・モード再生にも適用可能である。
【手続補正９】
【補正対象書類名】明細書
【補正対象項目名】００２０
【補正方法】変更
【補正の内容】
【００２０】
図３のプロセスは、装置１００が再生モードで動作している時に、ステップ３００から開始する。ステップ３０５に於いて、制御ＣＰＵ１２２は、高機能バッファ１３６からのユーザ入力をモニタする。ステップ３１０に於いて、制御ＣＰＵ１２２は、トリック・モードの順方向早送り再生が選択されたか否かを判定する。トリック・モードの順方向早送り再生が選択されたと判定した場合、制御ＣＰＵ１２２は、ステップ３１５乃至ステップ３４５の各処理を実行してトリック・モード再生を行う。トリック・モードの順方向早送り再生が選択されていないと判定した場合、処理ステップ３００に戻る。
【手続補正１０】
【補正対象書類名】明細書
【補正対象項目名】００２３
【補正方法】変更
【補正の内容】
【００２３】
ステップ３２５に於いて、制御ＣＰＵ１２２は、オーディオ・デコーダ１８２或いはＤＳＰ１８６を制御して、各ｎ個のオーディオ・サンプルのうち（ｎ−１）個の割合（レート）でオーディオ・サンプルを削除することによって、選択オーディオ・サンプルの削除を行うように設定する。このようなオーディオ・サンプルの削除は、オーディオをスピードアップしてビデオのスピードに実質的に整合させる効果がある。しかし、仮に、残ったオーディオ・サンプルが単にオーディオＤ／Ａ変換器１８４に供給されてアナログ・フォーマットに変換されるだけであると、その結果は、オーディオの周波数がｎ倍に変化することになってしまう。この周波数変化によって、音声はピッチが高くなり、その聞き取りが困難になる。従って、オーディオ・デコーダ１８２からのデジタル・オーディオ出力は、ＤＳＰ１８６によって処理される。
【手続補正１１】
【補正対象書類名】明細書
【補正対象項目名】００２４
【補正方法】変更
【補正の内容】
【００２４】
ステップ３３０に於いて、ＤＳＰ１８６は、残ったオーディオ・サンプルを、時間領域から、対応する周波数領域の等価物に変換する。制御ＣＰＵ１２２は、その利点として、オーディオＤ／Ａ変換器１８４の入力としてＤＳＰ１８６を選択できる。ＤＳＰ１８６は、オーディオ・デコーダ１８２からデジタル・オーディオを受信して処理し、より自然に聞こえるオーディオを生成することができる。更に詳しく説明すると、先ずステップ３３０に於いて、ＤＳＰ１８６は、ＦＦＴ処理素子１８６ａが時間領域にある受信オーディオ信号を周波数領域のオーディオ信号に変換するように設定する。
【手続補正１２】
【補正対象書類名】明細書
【補正対象項目名】００２５
【補正方法】変更
【補正の内容】
【００２５】
次にステップ３３５に於いて、ＤＳＰ１８６は、周波数スケーリング素子１８６ｂが周波数領域オーディオ信号の周波数を１／ｎ倍にスケーリングするように設定する。また、ＤＳＰ１８６は、振幅スケーリング素子１８６ｃが周波数領域オーディオ信号の振幅を１／ｎ倍にスケーリングするように設定する。その利点として、オーディオ信号の振幅をスケーリングすることによって、オーディオ信号のエネルギ・コンテンツが低減し、オーディオ信号の処理が容易になる。
【手続補正１３】
【補正対象書類名】明細書
【補正対象項目名】００２６
【補正方法】変更
【補正の内容】
【００２６】
ステップ３４０に於いて、逆ファスト・フーリエ変換（ＩＦＦＴ）処理素子１８６ｄによって、周波数領域にあるスケーリング済みオーディオ信号が、元の時間領域に変換される。このようにして、ＤＳＰ１８６の周波数および振幅のスケーリング機能によって、デジタル・オーディオのピッチ、即ち、周波数をスケーリング・アップ或いはスケーリング・ダウンして、再生スピードの変化に対応するステップ３２５に於けるオーディオ・サンプルの選択的削除の補償を行うことが出来る。
【手続補正１４】
【補正対象書類名】明細書
【補正対象項目名】００２８
【補正方法】変更
【補正の内容】
【００２８】
ここに開示した本発明の構成は、図３に示す技術と同じ技術を用いて、スロー再生トリック・モードにも適用できる。その場合、ｎは、１×より小さな値になる。例えば、５０％のスロー再生では、ｎ＝１／２になる。更に、ステップ３２５に於いて、サンプルの削除ではなく、選択時間領域オーディオ・サンプルが、スロー再生スピードｎに反比例する割合（レート）で繰り返されて、オーディオ再生信号が生成される。オーディオ・サンプルは、約１／ｎの平均レートで繰り返される。ステップ３３５に於いて、周波数スケーリング素子１８６ｂは、オーディオ・サンプルの周波数を１／ｎ倍にスケーリングするように設定される。しかし、スロー・スピード再生の場合、振幅スケーリング素子１８６ｃは、オーディオ・サンプルの振幅を、早送り再生モードで使用される１／ｎの倍率ではなく、ｎの倍率で（即ち、ｎ倍に）スケーリングするように設定される。
【手続補正１５】
【補正対象書類名】明細書
【補正対象項目名】００２９
【補正方法】変更
【補正の内容】
【００２９】
本発明は、ハードフェア、ソフトウェア、或いは、両者の組み合わせで、実現できる。本発明に従う機械読み取り可能な記憶機構は、１つのコンピュータ・システムに於ける集約形式で、例えば、制御ＣＰＵ１２２で実現でき、或いは、種々の素子が幾つかの相互に接続されたコンピュータ・システムに散在する分散形式で実現できる。ここに開示した方法を実行するように構成された任意の種類のコンピュータ・システムおよびその他の装置を使用することが出来る。